(57)【要約】【課題】  周波数が安定且つ可変領域が広い周波数可変ミリ波光源を提供する。【解決手段】  周波数可変ミリ波光源１０１は、光ミリ波信号を発生する光源であり、周波数間隔が一定である複数の縦のモード（光信号）を発生する光コム発生器１１と、これらの複数のモードの内の２つを取り出す、光カプラ１２および２つの可変光フィルタ１３，１４と、光の周波数変換が可能な光変調器であり、２つの内の一方のモードの周波数をΔｆ変化させるシングルサイドバンド変調器１５と、周波数が変化した一方のモードと他方のモードとを合波する光カプラ１６とを有する。【選択図】図１
2005353769.tif 000002
【特許請求の範囲】
【請求項１】
周波数間隔が一定である複数の縦のモードを発生する光コム発生器と、
前記複数のモードの内の２つを取り出す、光カプラおよび２つの可変光フィルタと、
前記２つの内の一方のモードの周波数を変化させるシングルサイドバンド変調器と、
周波数が変化した前記一方のモードと他方のモードとを合波する光カプラと
を有することを特徴とする周波数可変ミリ波光源。
【請求項２】
周波数間隔が一定である複数の縦のモードを発生する光コム発生器と、
前記複数のモードの内の２つを取り出すアレイ導波路格子と、
前記２つの内の一方のモードの周波数を変化させるシングルサイドバンド変調器と、
周波数が変化した前記一方のモードと他方のモードとを合波する光カプラと
を有することを特徴とする周波数可変ミリ波光源。
【請求項３】
前記アレイ導波路格子のチャネル間隔と前記光コム発生器のモード間隔とが等しいことを特徴とする請求項２記載の周波数可変ミリ波光源。
【請求項４】
周波数間隔が一定である複数の縦のモードを発生する光コム発生器と、
前記複数のモードの内の２つを取り出す第１のアレイ導波路格子と、
前記２つの内の一方のモードの周波数を変化させるシングルサイドバンド変調器と、
周波数が変化した前記一方のモードと他方のモードとを合波する第２のアレイ導波路格子と
を有することを特徴とする周波数可変ミリ波光源。
【請求項５】
前記シングルサイドバンド変調器の可変帯域は、前記第１のアレイ導波路格子のチャネル間隔の２倍以上であり、周波数が変化した前記一方のモードが、前記第２のアレイ導波路格子では、前記第１のアレイ導波路格子で用いたチャネルとは異なるチャネルに入力することを特徴とする請求項４記載の周波数可変ミリ波光源。
【請求項６】
他方のモードの光強度を、周波数が変化した前記一方のモードの光強度に等しくする可変アッテネータ
を有することを特徴とする請求項１ないし５のいずれかに記載の周波数可変ミリ波光源。
【請求項７】
他方のモードの光強度を、周波数が変化した前記一方のモードの光強度に等しくする可変光カプラ
を有することを特徴とする請求項１ないし５のいずれかに記載の周波数可変ミリ波光源。
【請求項８】
周波数間隔が一定である複数の縦のモードを発生する光コム発生器と、
前記複数のモードの内の２つを取り出すアレイ導波路格子と、
前記２つの内の一方のモードの周波数を変化させるシングルサイドバンド変調器と、
周波数が変化した前記一方のモードから残留キャリア及び他の側波帯のフィルタリングを行う可変光フィルタと、
他方のモードの光強度を、フィルタリングが行われた前記一方のモードの光強度に等しくする可変アッテネータと、
フィルタリングが行われた前記一方のモードと、光強度を等しくされた前記他方のモードとを合波する光カプラと
を有することを特徴とする周波数可変ミリ波光源。
【請求項９】
周波数間隔が一定である複数の縦のモードを発生する光コム発生器と、
前記複数のモードの内の２つを取り出すアレイ導波路格子と、
前記２つの内の一方のモードの周波数を変化させるシングルサイドバンド変調器と、
周波数が変化した前記一方のモードから残留キャリア及び他の側波帯を除去するフィルタリングを行う可変光フィルタと、
他方のモードの光強度を、フィルタリングが行われた前記一方のモードの光強度に等しくする可変光カプラと、
フィルタリングが行われた前記一方のモードと、光強度を等しくされた前記他方のモードとを合波する光カプラと
を有することを特徴とする周波数可変ミリ波光源。
【請求項１０】
周波数間隔が一定である複数の縦のモードを光コム発生器が発生し、
前記複数のモードの内の２つを、光カプラおよび２つの可変光フィルタが取り出し、
前記２つの内の一方のモードの周波数をシングルサイドバンド変調器が変化させ、
周波数が変化した前記一方のモードと他方のモードとを光カプラが合波する
ことを特徴とする、周波数可変ミリ波光源の光ミリ波信号発生方法。
【請求項１１】
周波数間隔が一定である複数の縦のモードを光コム発生器が発生し、
前記複数のモードの内の２つをアレイ導波路格子が取り出し、
前記２つの内の一方のモードの周波数をシングルサイドバンド変調器が変化させ、
周波数が変化した前記一方のモードと他方のモードとを光カプラが合波する
ことを特徴とする、周波数可変ミリ波光源の光ミリ波信号発生方法。
【請求項１２】
前記アレイ導波路格子のチャネル間隔と前記光コム発生器のモード間隔とが等しいことを特徴とする請求項１１記載の周波数可変ミリ波光源の光ミリ波信号発生方法。
【請求項１３】
周波数間隔が一定である複数の縦のモードを光コム発生器が発生し、
前記複数のモードの内の２つを第１のアレイ導波路格子が取り出し、
前記２つの内の一方のモードの周波数をシングルサイドバンド変調器が変化させ、
周波数が変化した前記一方のモードと他方のモードとを第２のアレイ導波路格子が合波する
ことを特徴とする、周波数可変ミリ波光源の光ミリ波信号発生方法。
【請求項１４】
前記シングルサイドバンド変調器の可変帯域は、前記第１のアレイ導波路格子のチャネル間隔の２倍以上であり、周波数が変化した前記一方のモードが、前記第２のアレイ導波路格子では、前記第１のアレイ導波路格子で用いたチャネルとは異なるチャネルに入力することを特徴とする請求項１３記載の、周波数可変ミリ波光源の光ミリ波信号発生方法。
【請求項１５】
可変アッテネータが他方のモードの光強度を、周波数が変化した前記一方のモードの光強度に等しくする
ことを特徴とする請求項１０ないし１４のいずれかに記載の、周波数可変ミリ波光源の光ミリ波信号発生方法。
【請求項１６】
可変光カプラが他方のモードの光強度を、周波数が変化した前記一方のモードの光強度に等しくする
ことを特徴とする請求項１０ないし１４のいずれかに記載の、周波数可変ミリ波光源の光ミリ波信号発生方法。
【請求項１７】
周波数間隔が一定である複数の縦のモードを光コム発生器が発生し、
前記複数のモードの内の２つをアレイ導波路格子が取り出し、
前記２つの内の一方のモードの周波数をシングルサイドバンド変調器が変化させ、
周波数が変化した前記一方のモードから残留キャリア及び他の側波帯のフィルタリングを可変光フィルタが行い、
可変アッテネータが他方のモードの光強度を、フィルタリングが行われた前記一方のモードの光強度に等しくし、
フィルタリングが行われた前記一方のモードと、光強度を等しくされた前記他方のモードとを光カプラが合波する
ことを特徴とする、周波数可変ミリ波光源の光ミリ波信号発生方法。
【請求項１８】
周波数間隔が一定である複数の縦のモードを光コム発生器が発生し、
前記複数のモードの内の２つをアレイ導波路格子が取り出し、
前記２つの内の一方のモードの周波数をシングルサイドバンド変調器が変化させ、
周波数が変化した前記一方のモードから残留キャリア及び他の側波帯を除去するフィルタリングを可変光フィルタが行い、
可変光カプラが他方のモードの光強度を、フィルタリングが行われた前記一方のモードの光強度に等しくし、
フィルタリングが行われた前記一方のモードと、光強度を等しくされた前記他方のモードとを光カプラが合波する
ことを特徴とする、周波数可変ミリ波光源の光ミリ波信号発生方法。
【発明の詳細な説明】
【技術分野】
【０００１】
本発明は、周波数可変のミリ波帯電磁波発生に用いる周波数可変ミリ波光源とその光ミリ波信号発生方法に関するものである。
【背景技術】
【０００２】
近年、電波天文やイメージングの分野において１００ＧＨｚを超える領域でのミリ波の発生が注目されている。特に、広い周波数領域をカバーする周波数可変であり、かつ低ノイズの発生器は、天文観測や分析には必須となっている。従来電磁波の発生は全電気的な手法で行われていたが、周波数が１００ＧＨｚ付近になってくると全電気的な手法では電磁波の発生は困難となる。また、ミリ波帯の発信器や逓倍器で使用されている電気回路は共振回路を用いているため、周波数の可変領域は限られている。
【０００３】
そこで光信号としてミリ波領域の周波数で強度変調している光信号（光ミリ波信号）を発生し、この光ミリ波信号を光電変換することにより電磁波を発生させる手法が検討されている。
【０００４】
光ミリ波信号を発生させる簡便な装置としては、図１０に示すように、固定波長光源からのレーザ光の強度を光アッテネータで調整し、これと可変波長光源からのレーザ光とを光カプラで合波とすることによって、光ミリ波信号を発生させるものがある。
【非特許文献１】T. Yamamoto, and S. Kawanishi, "Generation of low-noise optical frequency comb and optical beat signal using phase modulator," in Tech. Dig. JK workshop on microwave and millimeter-wave photonics 2004, pp. 15-19, 2004.
【発明の開示】
【発明が解決しようとする課題】
【０００５】
しかし、図１０に示した手法では、２つのレーザ光を同期させることが困難であるため、位相ノイズが大きく、さらに周波数ドリフトも大きくなる。コヒーレントな光ミリ波信号を発生する手段としては、モードロックレーザなど、レーザの共振器を利用したものがあるが、これらレーザの周波数の可変領域は小さいので、可変領域の大きく、かつ安定した光ミリ波光源の開発が期待されている。
【０００６】
本発明は、上記に鑑みなされたものであり、その目的とするところは、周波数が安定且つ可変領域が広い周波数可変ミリ波光源を提供することにある。
【課題を解決するための手段】
【０００７】
上記の課題を解決するために、請求項１の本発明は、周波数間隔が一定である複数の縦のモードを発生する光コム発生器と、前記複数のモードの内の２つを取り出す、光カプラおよび２つの可変光フィルタと、前記２つの内の一方のモードの周波数を変化させるシングルサイドバンド変調器と、周波数が変化した前記一方のモードと他方のモードとを合波する光カプラとを有することを特徴とする周波数可変ミリ波光源をもって解決手段とする。
【０００８】
請求項２の本発明は、周波数間隔が一定である複数の縦のモードを発生する光コム発生器と、前記複数のモードの内の２つを取り出すアレイ導波路格子と、前記２つの内の一方のモードの周波数を変化させるシングルサイドバンド変調器と、周波数が変化した前記一方のモードと他方のモードとを合波する光カプラとを有することを特徴とする周波数可変ミリ波光源をもって解決手段とする。
【０００９】
請求項３の本発明は、前記アレイ導波路格子のチャネル間隔と前記光コム発生器のモード間隔とが等しいことを特徴とする請求項２記載の周波数可変ミリ波光源をもって解決手段とする。
【００１０】
請求項４の本発明は、周波数間隔が一定である複数の縦のモードを発生する光コム発生器と、前記複数のモードの内の２つを取り出す第１のアレイ導波路格子と、前記２つの内の一方のモードの周波数を変化させるシングルサイドバンド変調器と、周波数が変化した前記一方のモードと他方のモードとを合波する第２のアレイ導波路格子とを有することを特徴とする周波数可変ミリ波光源をもって解決手段とする。
【００１１】
請求項５の本発明は、前記シングルサイドバンド変調器の可変帯域は、前記第１のアレイ導波路格子のチャネル間隔の２倍以上であり、周波数が変化した前記一方のモードが、前記第２のアレイ導波路格子では、前記第１のアレイ導波路格子で用いたチャネルとは異なるチャネルに入力することを特徴とする請求項４記載の周波数可変ミリ波光源をもって解決手段とする。
【００１２】
請求項６の本発明は、他方のモードの光強度を、周波数が変化した前記一方のモードの光強度に等しくする可変アッテネータを有することを特徴とする請求項１ないし５のいずれかに記載の周波数可変ミリ波光源をもって解決手段とする。
【００１３】
請求項７の本発明は、他方のモードの光強度を、周波数が変化した前記一方のモードの光強度に等しくする可変光カプラを有することを特徴とする請求項１ないし５のいずれかに記載の周波数可変ミリ波光源をもって解決手段とする。
【００１４】
請求項８の本発明は、周波数間隔が一定である複数の縦のモードを発生する光コム発生器と、前記複数のモードの内の２つを取り出すアレイ導波路格子と、前記２つの内の一方のモードの周波数を変化させるシングルサイドバンド変調器と、周波数が変化した前記一方のモードから残留キャリア及び他の側波帯のフィルタリングを行う可変光フィルタと、
他方のモードの光強度を、フィルタリングが行われた前記一方のモードの光強度に等しくする可変アッテネータと、フィルタリングが行われた前記一方のモードと、光強度を等しくされた前記他方のモードとを合波する光カプラとを有することを特徴とする周波数可変ミリ波光源をもって解決手段とする。
【００１５】
請求項９の本発明は、周波数間隔が一定である複数の縦のモードを発生する光コム発生器と、前記複数のモードの内の２つを取り出すアレイ導波路格子と、前記２つの内の一方のモードの周波数を変化させるシングルサイドバンド変調器と、周波数が変化した前記一方のモードから残留キャリア及び他の側波帯を除去するフィルタリングを行う可変光フィルタと、他方のモードの光強度を、フィルタリングが行われた前記一方のモードの光強度に等しくする可変光カプラと、フィルタリングが行われた前記一方のモードと、光強度を等しくされた前記他方のモードとを合波する光カプラとを有することを特徴とする周波数可変ミリ波光源をもって解決手段とする。
【００１６】
請求項１０の本発明は、周波数間隔が一定である複数の縦のモードを光コム発生器が発生し、前記複数のモードの内の２つを、光カプラおよび２つの可変光フィルタが取り出し、前記２つの内の一方のモードの周波数をシングルサイドバンド変調器が変化させ、周波数が変化した前記一方のモードと他方のモードとを光カプラが合波することを特徴とする、周波数可変ミリ波光源の光ミリ波信号発生方法をもって解決手段とする。
【００１７】
請求項１１の本発明は、周波数間隔が一定である複数の縦のモードを光コム発生器が発生し、前記複数のモードの内の２つをアレイ導波路格子が取り出し、前記２つの内の一方のモードの周波数をシングルサイドバンド変調器が変化させ、周波数が変化した前記一方のモードと他方のモードとを光カプラが合波することを特徴とする、周波数可変ミリ波光源の光ミリ波信号発生方法をもって解決手段とする。
【００１８】
請求項１２の本発明は、前記アレイ導波路格子のチャネル間隔と前記光コム発生器のモード間隔とが等しいことを特徴とする請求項１１記載の周波数可変ミリ波光源の光ミリ波信号発生方法をもって解決手段とする。
【００１９】
請求項１３の本発明は、周波数間隔が一定である複数の縦のモードを光コム発生器が発生し、前記複数のモードの内の２つを第１のアレイ導波路格子が取り出し、前記２つの内の一方のモードの周波数をシングルサイドバンド変調器が変化させ、周波数が変化した前記一方のモードと他方のモードとを第２のアレイ導波路格子が合波することを特徴とする、周波数可変ミリ波光源の光ミリ波信号発生方法をもって解決手段とする。
【００２０】
請求項１４の本発明は、前記シングルサイドバンド変調器の可変帯域は、前記第１のアレイ導波路格子のチャネル間隔の２倍以上であり、周波数が変化した前記一方のモードが、前記第２のアレイ導波路格子では、前記第１のアレイ導波路格子で用いたチャネルとは異なるチャネルに入力することを特徴とする請求項１３記載の、周波数可変ミリ波光源の光ミリ波信号発生方法をもって解決手段とする。
【００２１】
請求項１５の本発明は、可変アッテネータが他方のモードの光強度を、周波数が変化した前記一方のモードの光強度に等しくすることを特徴とする請求項１０ないし１４のいずれかに記載の、周波数可変ミリ波光源の光ミリ波信号発生方法をもって解決手段とする。
【００２２】
請求項１６の本発明は、可変光カプラが他方のモードの光強度を、周波数が変化した前記一方のモードの光強度に等しくすることを特徴とする請求項１０ないし１４のいずれかに記載の、周波数可変ミリ波光源の光ミリ波信号発生方法をもって解決手段とする。
【００２３】
請求項１７の本発明は、周波数間隔が一定である複数の縦のモードを光コム発生器が発生し、前記複数のモードの内の２つをアレイ導波路格子が取り出し、前記２つの内の一方のモードの周波数をシングルサイドバンド変調器が変化させ、周波数が変化した前記一方のモードから残留キャリア及び他の側波帯のフィルタリングを可変光フィルタが行い、可変アッテネータが他方のモードの光強度を、フィルタリングが行われた前記一方のモードの光強度に等しくし、フィルタリングが行われた前記一方のモードと、光強度を等しくされた前記他方のモードとを光カプラが合波することを特徴とする、周波数可変ミリ波光源の光ミリ波信号発生方法をもって解決手段とする。
【００２４】
請求項１８の本発明は、周波数間隔が一定である複数の縦のモードを光コム発生器が発生し、前記複数のモードの内の２つをアレイ導波路格子が取り出し、前記２つの内の一方のモードの周波数をシングルサイドバンド変調器が変化させ、周波数が変化した前記一方のモードから残留キャリア及び他の側波帯を除去するフィルタリングを可変光フィルタが行い、可変光カプラが他方のモードの光強度を、フィルタリングが行われた前記一方のモードの光強度に等しくし、フィルタリングが行われた前記一方のモードと、光強度を等しくされた前記他方のモードとを光カプラが合波することを特徴とする、周波数可変ミリ波光源の光ミリ波信号発生方法をもって解決手段とする。
【発明の効果】
【００２５】
本発明によれば、周波数間隔が一定である複数の縦のモードを光コム発生器が発生し、複数のモードの内の２つを取り出し、２つの内の一方のモードの周波数をシングルサイドバンド変調器が変化させ、周波数が変化した一方のモードと他方のモードとを合波するので、周波数が安定且つ波長可変領域が広い光ミリ波信号を発生させることができる。
【発明を実施するための最良の形態】
【００２６】
以下、本発明の実施の形態を図面を参照して説明する。
【００２７】
図１は、本発明の第１の実施の形態に係る周波数可変ミリ波光源１０１の構成図である。
【００２８】
周波数可変ミリ波光源１０１は、光ミリ波信号（以下、この光ミリ波信号の周波数をｆ１として説明する）を発生する光源であり、周波数間隔が一定（以下、この間隔をｆ０とする）である複数の縦のモード（光信号）を発生する光コム発生器１１と、これらの複数のモードの内の２つを取り出す、光カプラ１２および２つの可変光フィルタ１３，１４と、光の周波数変換が可能な光変調器であり、２つの内の一方のモードの周波数をΔｆ変化（変換、変調ともいう）させるシングルサイドバンド（図面および以下の説明ではＳＳＢと略記する）変調器１５と、周波数が変化した一方のモードと他方のモードとを合波する光カプラ１６とを有する。
【００２９】
ここで、光コム発生器１１としては、ファイバレーザあるいはモードロックレーザを用いることができる。詳しくは、Ｔ（テラ）Ｈｚオーダーの波長広がりを持つ、ファイバレーザなどのＳＣ（スーパーコンティニウム）光源を用いることができる。
【００３０】
また、可変光フィルタ１３，１４もＴＨｚ以上の帯域を有するものを用いることができる。
【００３１】
ＳＳＢ変調器１５の詳細は、例えば、“ＸカットＬｉＮｂＯ3を用いた光周波数シフタ／ＳＳＢ変調器の開発”、信学技報ＯＰＥ２００１−１５９に記載されている。
【００３２】
図２は、周波数可変ミリ波光源１０１における各部の光スペクトルを示す図である。図１の各部に示されたアルファベットが、図２での対応図を示している。なお、図２は、後述する周波数可変ミリ波光源１０２における各部の光スペクトルを示す図でもあり、後述する図３の各部に示されたアルファベットが、図２での対応図を示している。
【００３３】
上記構成の周波数可変ミリ波光源１０１では、光コム発生器１１は、図２（ａ）に示すように、一定の周波数間隔ｆ０で複数の縦のモードを発生する。
【００３４】
光カプラ１２及び可変光フィルタ１３，１４は、これらのモードから、周波数ｆ１に対してｎ×ｆ０＜ｆ１＜（ｎ＋１）×ｆ０が成り立つようなｎだけ離れた２つのチャネルから出力された２つのモードを選択して取り出す（図２（ｂ）と図２（ｃ））。
【００３５】
ＳＳＢ変調器１５は、図２（ｄ）に示すように、一方のモードの周波数を、ｆ１＝ｎ×ｆ０＋Δｆが成り立つようにΔｆだけ変化させる。
【００３６】
光カプラ１６は、周波数が変化した一方のモードと他方のモードとを合波する（図２（ｅ）。
【００３７】
周波数可変ミリ波光源１では、Δｆのとりうる最大値がｆ０より大きければ任意の周波数ｆ１を実現することができ、また、周波数が安定且つ可変領域が広くなる。
【００３８】
なお、光カプラ１６における合波で得られた光信号をフォトダイオードなどの光電変換素子に入力することにより、２つのモードの周波数差に相当する周波数を有するミリ波信号（ミリ波帯電磁波）を発生させることができる。
【００３９】
図３は、本発明の第２の実施の形態に係る周波数可変ミリ波光源１０２の構成図である。ここでは、周波数可変ミリ波光源１０１の構成要素と同一なものに同一符号を付す。
【００４０】
周波数可変ミリ波光源１０２は、周波数可変ミリ波光源１０１の光カプラ１２および２つの可変光フィルタ１３，１４をアレイ導波路格子（図面および以下の説明ではＡＷＧと記する）１２Ａに置き換えたものである。ここでは、ＡＷＧ１２Ａのチャネル間隔と光コム発生器１１のモード間隔とが等しくなっている。
【００４１】
周波数可変ミリ波光源１０２の動作は、周波数可変ミリ波光源１０１の動作と同様であり、よって、周波数可変ミリ波光源１０２では、Δｆのとりうる最大値がｆ０より大きければ任意の周波数ｆ１を実現することができ、また、周波数が安定且つ可変領域が広くなる。
【００４２】
図４は、本発明の第３の実施の形態に係る周波数可変ミリ波光源１０３の構成図である。ここでは、周波数可変ミリ波光源１０２の構成要素と同一のものに同一符号を付す。
【００４３】
周波数可変ミリ波光源１０３は、周波数可変ミリ波光源１０２の光カプラ１６をＡＷＧ１６Ａに置き換えたものである。
【００４４】
周波数可変ミリ波光源１０３の動作は、周波数可変ミリ波光源１０２の動作と同様であり、よって、周波数可変ミリ波光源１０３では、Δｆのとりうる最大値がｆ０より大きければ任意の周波数ｆ１を実現することができる。また、この周波数可変ミリ波光源１０３では、選択されたモードに対する他チャンネルのクロストークを低減することができる。
【００４５】
ところで、図５に示すように、ＳＳＢ変調器１５により周波数変換されたモードには、残留キャリア及び他の側波帯が現れる。そして、その抑圧比は最大２５ｄＢ程度である。さらに、周波数を変換した後のモードには、もう一方のモードとの差周波も弱いながら現れる。
【００４６】
周波数変換量が小さい場合、合波された光ミリ波信号の周波数の直近には、残留キャリア及び他の側波帯に起因する、不要な周波数成分が現れてしまうため、フィルタなどでの分離が困難となる。
【００４７】
そこで、周波数可変ミリ波光源１０３にあっては、図６（ｄ）に示すように、周波数変換量Δｆがｆ０＜Δｆ＜２×ｆ０となるようにＳＳＢ変調器１５の可変帯域を設定し、かつＡＷＧ１２Ａにおいて（ｎ＋１）×ｆ０＜ｆ１＜（ｎ＋２）×ｆ０が成り立つようにｎだけ離れたチャネル間隔を設定することができる。
【００４８】
この構成により、任意のｆ１を実現できるだけでなく、周波数変換後のモードと残留キャリア及び他の側波帯は少なくともｆ０以上離れていることとなり、よってＡＷＧ１６Ａや可変光フィルタでフィルタリングできるようになる。
【００４９】
また、周波数可変ミリ波光源１０３のＡＷＧ１６Ａにおいて、残留キャリア及び他の側波帯は、周波数変換されたモードと別のチャネルに出力されるので、合波後の光ミリ波信号の残留キャリア及び他の側波帯の成分の光強度が高くなるのを防止することができる。
【００５０】
また、周波数可変ミリ波光源１０３では、ＳＢ変調器１５の可変帯域を、ＡＷＧ１２Ａのチャネル間隔の２倍以上、又は２倍よりも大きくし、周波数変換されたモードがＡＷＧ１６Ａでは、ＡＷＧ１２Ａで用いたチャネルとは異なるチャネルに入力するようにしてもよい。
【００５１】
図７は、本発明の第４の実施の形態に係る周波数可変ミリ波光源１０４の構成図である。ここでは、周波数可変ミリ波光源１０２の構成要素と同一のものに同一符号を付す。
【００５２】
周波数可変ミリ波光源１０４は、周波数可変ミリ波光源１０２において、周波数が変化したモードから残留キャリア及び他の側波帯を除去するフィルタリングを行う可変光フィルタ１７を有するものである。なお、可変光フィルタ１７は、後述する第５および第６の実施の形態の周波数可変ミリ波光源に設けることもできる。
【００５３】
このように、可変光フィルタ１７を設けることで、周波数が変化したモードから残留キャリア及び他の側波帯を除去することができる。
【００５４】
ところで、周波数可変ミリ波光源１０１〜１０４が発生する光ミリ波信号の変調度を１００％に近づけるには、周波数を変換されたモードの光強度と、周波数を変換されないモードの光強度を等しくする必要がある。
【００５５】
図８は、本発明の第５の実施の形態に係る周波数可変ミリ波光源１０５の構成図である。ここでは、周波数可変ミリ波光源１０２の構成要素と同一のものに同一符号を付す。
【００５６】
周波数可変ミリ波光源１０５は、周波数可変ミリ波光源１０２において、周波数が変換されないモードの光強度を、周波数が変換されたモードの光強度に等しくする可変光アッテネータ１８を有するものである。
【００５７】
この周波数可変ミリ波光源１０５では、可変光アッテネータ１８が、周波数が変換されないモードの光強度を、周波数が変換されたモードの光強度に等しくするので、光ミリ波信号の変調度を１００％に近づけることができる。
【００５８】
図９は、本発明の第６の実施の形態に係る周波数可変ミリ波光源１０６の構成図である。ここでは、周波数可変ミリ波光源１０２の構成要素と同一のものに同一符号を付す。
【００５９】
周波数可変ミリ波光源１０６は、周波数可変ミリ波光源１０２において、周波数が変換されないモードの光強度を、周波数が変換されたモードの光強度に等しくする光可変カプラ１８Ａを有するものである。
【００６０】
この周波数可変ミリ波光源１０６では、光可変カプラ１８Ａが、周波数が変換されないモードの光強度を、周波数が変換されたモードの光強度に等しくするので、光ミリ波信号の変調度を１００％に近づけることができる。
【００６１】
なお、周波数可変ミリ波光源１０５の可変光アッテネータ１８、または周波数可変ミリ波光源１０６の光可変カプラ１８Ａが、周波数が変換されたモードの光強度を、周波数が変換されないモードの光強度に等しくする構成としてもよい。また、可変光アッテネータ１８または光可変カプラ１８Ａを他の実施の形態の周波数可変ミリ波光源に設けてもよい。
【図面の簡単な説明】
【００６２】
【図１】本発明の第１の実施の形態に係る周波数可変ミリ波光源１０１の構成図である。
【図２】周波数可変ミリ波光源１０１，１０２における各部の光スペクトルを示す図である。
【図３】本発明の第２の実施の形態に係る周波数可変ミリ波光源１０２の構成図である。
【図４】本発明の第３の実施の形態に係る周波数可変ミリ波光源１０３の構成図である。
【図５】ＳＳＢ変調器１５による周波数変換の前後における光スペクトルを示す図である。
【図６】周波数可変ミリ波光源１０３における各部の光スペクトルを示す図である。
【図７】本発明の第４の実施の形態に係る周波数可変ミリ波光源１０４の構成図である。
【図８】本発明の第５の実施の形態に係る周波数可変ミリ波光源１０５の構成図である。
【図９】本発明の第６の実施の形態に係る周波数可変ミリ波光源１０６の構成図である。
【図１０】光ミリ波信号を発生させる簡便な装置の構成図である。
【符号の説明】
【００６３】
１０１，１０２，１０３，１０４，１０５，１０６  周波数可変ミリ波光源
１１  光コム発生器
１２、１６  光カプラ
１２Ａ，１６Ａ  アレイ導波路格子（ＡＷＧ）
１３，１４，１７  可変光フィルタ
１５  シングルサイドバンド（ＳＳＢ）変調器
１８  可変光アッテネータ
１８Ａ  光可変カプラ
【図１】
2005353769.tif 000003
【図２】
2005353769.tif 000004
【図３】
2005353769.tif 000005
【図４】
2005353769.tif 000006
【図５】
2005353769.tif 000007
【図６】
2005353769.tif 000008
【図７】
2005353769.tif 000009
【図８】
2005353769.tif 000010
【図９】
2005353769.tif 000011
【図１０】
2005353769.tif 000012